(57)【特許請求の範囲】
【請求項１】
左右カップ（２Ｌ）（２Ｒ）の下部にそれぞれ左右バンド（３Ｌ）（３Ｒ）を備え、該左右バンド（３Ｌ）（３Ｒ）は左右カップ（２Ｌ）（２Ｒ）を互いに連結するために、左右カップ（２Ｌ）（２Ｒ）間にてクロス部分（４）によりクロスされていて左バンド（３Ｌ）の内端部位は右カップ（２Ｒ）の内側方部位に、右バンド（３Ｒ）の内端部位は左カップ（２Ｌ）の内側方部位にそれぞれ接合されており、前記左右バンド（３Ｌ）（３Ｒ）の各外端部位に備えている左右バックストラップ（５Ｌ）（５Ｒ）を介して着用したとき、左右カップ（２Ｌ）（２Ｒ）が互いに近づくように前記クロス部分（４）における左右バンド（３Ｌ）（３Ｒ）は相互にフリーとされていると共に、左右カップ（２Ｌ）（２Ｒ）がクロス部分（４）において左右に離隔させてあることを特徴とするブラジャー。
【請求項２】
前記クロス部分（４）を構成する左右バンド（３Ｌ）（３Ｒ）の長手方向下縁は、それぞれ上向傾斜とされていて、着用したときみぞ落よりやや上方にクロス部分（４）が位置するように設定されていることを特徴とする請求項１記載のブラジャー。
【請求項３】
左右カップ（２Ｌ）（２Ｒ）の少なくとも下方周りにワイヤ（７Ｌ）（７Ｒ）を封入した袋テープ（８Ｌ）（８Ｒ）が接合されており、左右バンド（３Ｌ）（３Ｒ）はその長手方向の一部分が前記袋テープ（８Ｌ）（８Ｒ）に接合されているとともに左右バンド（３Ｌ）（３Ｒ）の内端部位は左右で対応する袋テープ（８Ｌ）（８Ｒ）に接合されていることを特徴とする請求項１又は２に記載のブラジャー。
【発明の詳細な説明】
【０００１】
【発明の属する技術分野】
本発明は、ブラジャーに係り、より具体的には、乳房の寄せ効果に優れながら谷間の圧迫感を軽減したブラジャーに関するものである。
【０００２】
【従来の技術】
左右カップの下部にそれぞれ左右バンドを備え、該左右バンドを左右カップ間においてクロスさせているブラジャーは、特公昭３５−１６６２８号公報（従来例の１）、実公昭４２−１４９２５号公報（従来例の２）および米国特許第２，８８２，９０６号明細書（従来例の３）等で公知である。
【０００３】
【発明が解決しようとする課題】
従来例の１は、当該公報第２頁左欄下から第４行目から右欄上から第１２行目にわたって記載されているように、「左右カップ（乳当て）の下部に備えた左右バンドをクロスさせ、該クロス部分においてバンドの上縁一部を右右カップに縫着しない部分を設けることによって、肩紐のよじれ肩への喰込みをおさえた」ものであった。
しかしながら、この従来例の１で例示されたブラジャーは、乳房の寄せ効果が少なく、また、左右バンドのクロス部分が広くなりすぎていることから、着用者によってはみぞ落部分（谷間）を過度に圧迫するという課題があった。
【０００４】
従来例の２は、当該公報第２頁左欄第１９行〜第２２行に記載されている「左右バンドの各々の上下縁が自由でブラジャーの他方の部分と連結されてない」構成を採用することによって、２つの胸ポケット（左右カップ）が互いに或る量の独立した運動をなし、しかも乳房を適当に制御支持し、且つ実際にはサイズが異なるが、通常ひとつの標準サイズとみなされる多くの人に適合する様なかなりの調整力を有するブラジャーであった（同公報第１頁左欄参照）。
しかしながら、この従来例の２で例示されたブラジャーは、左右バンドのそれぞれが反対側の胸ポケット（カップ）の実際上の下部内方周辺を形成しているものであるから、製作の困難性があるとともに、必然的に左右バンドは広幅となってクロス部分が広くなりすぎて着用者によってはみぞ落部分（谷間）を過度に圧迫するし、寄せ効果が少ない等の課題があった。
【０００５】
従来例の３は、そのＦｉｇ１およびこの対応個所に記載されているように、左右カップの下縁部位にバンドを左右カップにわたって縫着するとともに、このバンドの上に別のバンドを縫着し、この別のバンドをクロスさせて左右カップに縫着したものであるから、従来例の１および２と同様に寄せ効果は少なく、谷間の圧迫感が強すぎるという課題があった。
そこで本発明は、前述した従来例の１〜３の課題に鑑み、左右カップ（胸ポケット）の下部にそれぞれ備えた左右バンドを左右カップ間でクロスさせているブラジャーを対象とし、該クロス部分に細工を施すことによって乳房の寄せ効果を十分に確保して該乳房を制御支持するとともに、谷間（みぞ落近傍）での圧迫感を抑制して着用感を向上したブラジャーを提供することが目的である。
【０００６】
【課題を解決するための手段】
本発明に係るブラジャーは前述の目的を達成するために、次の技術的手段を講じている。
すなわち、請求項１に係るブラジャーは、左右カップ２Ｌ，２Ｒの下部にそれぞれ左右バンド３Ｌ，３Ｒを備え、該左右バンド３Ｌ，３Ｒは左右カップ２Ｌ，２Ｒを互いに連結するために、左右カップ２Ｌ，２Ｒ間にてクロス部分４によりクロスされていて左バンド３Ｌの内端部位は右カップ２Ｒの内側方部位に、右バンド３Ｒの内端部位は左カップ２Ｌの内側方部位にそれぞれ接合されており、前記左右バンド３Ｌ，３Ｒの各外端部位に備えている左右バックストラップ５Ｌ，５Ｒを介して着用したとき、左右カップ２Ｌ，２Ｒが互いに近づくように前記クロス部分４における左右バンド３Ｌ，３Ｒは相互にフリーとされていると共に、左右カップ２Ｌ，２Ｒがクロス部分４において左右に離隔させてあることを特徴とするものである。
【０００７】
このような構成を採用したことによって、ブラジャー１を着用したとき、左バンド３Ｌは右カップ２Ｒと、右バンド３Ｒは左カップ２Ｌを互いに近づくように連結（接合）されて左右乳房を寄せるのであり、この寄せ効果は、クロス部分４における左右バンド３Ｌ，３Ｒをフリーにしておくことによって乳房の挙動を差程拘束することなく制御支持し、肩ストラップ６Ｌ，６Ｒとの共同によってバストアップに寄与するのである。
また、左右バンド３Ｌ，３Ｒはこれが細幅なテープ生地（望ましくは、伸縮テープ生地）を採用できて、クロス部分４の上下幅は狭くなり、ここに、谷間（みぞ落近傍）の圧迫感が抑制されるだけでなく、クロス部分４のよじれも少なくなって着用感は向上するのである。
【０００８】
また、請求項２に係るブラジャー１は、前述の請求項１において、前記クロス部分４を構成する左右バンド３Ｌ，３Ｒの長手方向下縁は、それぞれ上向傾斜とされていて、着用したときみぞ落よりやや上方にクロス部分４が位置するように設定されていることを特徴とするものである。
このような構成を採用したことによって前述の作用効果に加えて、谷間の圧迫感は確実になくなって着用感が向上したのである。
更に、請求項３に係るブラジャー１は、前述の請求項１又は２において、左右カップ２Ｌ，２Ｒの少なくとも下方周りにワイヤ７Ｌ，７Ｒを封入した袋テープ８Ｌ，８Ｒが接合されており、左右バンド３Ｌ，３Ｒはその長手方向の一部分が前記袋テープ８Ｌ，８Ｒに接合されているとともに左右バンド３Ｌ，３Ｒの内端部位は左右で対応する袋テープ８Ｌ，８Ｒに接合されていることを特徴とするものである。
【０００９】
このような構成を採用したことによって、前述の作用効果に加えて、乳房の制御支持がワイヤ７Ｌ，７Ｒの存在によって確実に保障されたのである。
ここで、表地とポリウレタンフォーム等の弾褥材、不織布等で構成している裏地（肌地）とによって左右カップ２Ｌ，２Ｒを構成したとき、表裏地の間にワイヤ７Ｌ，７Ｒが肌に与える抵抗は抑制されてワイヤ７Ｌ，７Ｒによる肌当りが柔らかくなって、ワイヤ７Ｌ，７Ｒによる圧迫感を低減あるいは解消できるのであり、また、ワイヤ７Ｌ，７Ｒの装着部位を表地、肌地のいずれか一方に接合（望ましくは縫着によるが、接着等であっても良い）し、他方に対しては分離させておくことによって、肌地の動き（すなわち乳房の挙動）が表地に伝播され難くなって、左右カップ２Ｌ，２Ｒの外観形態が崩れるのを防止できて有利となる。
【００１０】
【発明の実施の形態】
以下、図を参照して本発明に係るブラジャー１の実施形態につき説明すると、ブラジャー１を斜視図で表している図１において、ブラジャー１は、左右カップ２Ｌ，２Ｒの下部にそれぞれ左右バンド３Ｌ，３Ｒを備え、該左右バンド３Ｌ，３Ｒは左右カップ２Ｌ，２Ｒを互いに連結するために、左右カップ２Ｌ，２Ｒ間にてクロス部分４によりクロスされている。
クロス部分４において、左バンド３Ｌの内端部位は右カップ２Ｒの内側方部位に、右バンド３Ｒの内端部位は左カップ２Ｌの内側方部位に縫着、接着等の接合手段によってそれぞれ接合されており、当該クロス部分４における左右バンド３Ｌ，３Ｒは相互にフリーとされている。
【００１１】
前記左右バンド３Ｌ，３Ｒの各外端部位には、左右バックストラップ５Ｌ，５Ｒが備えられ、該ストラップ５Ｌ，５Ｒは延伸されていて、該延伸部位の各端部には両者をループ状にする接離手段（図示せず）が備えられている。
更に、左右カップ２Ｌ，２Ｒの外方寄り上部と左右バックストラップ５Ｌ，５Ｒの中途にわたって左右・肩ストラップ（肩ひも）６Ｌ，６Ｒが接合されており、該肩ストラップ６Ｌ，６Ｒには図示省略しているが長さ調節手段が備えられている。
【００１２】
ここで、本発明に係るブラジャー１は、左右バックストラップ５Ｌ，５Ｒおよび肩ひも６Ｌ，６Ｒを介して着用したとき、図２に示すように左右バックストラップ５Ｌ，５Ｒによって矢符Ｌ１，Ｒ１の力が作用し、この力は矢符Ｌ２，Ｒ２となって左右カップ２Ｌ，２Ｒを互いに近づける寄せ効果となり、クロス部分４において左右バンド３Ｌ，３Ｒはフリーであり、しかも、左右のカップ２Ｌ，２Ｒは、図２、３，５に示すように、クロス部分４において、左右に離隔させてあることから、力の伝播は反対側のカップ２Ｌ，２Ｒに確実に伝わり、一方、肩ひも６Ｌ，６Ｒによる矢符Ｌ３，Ｒ３の力と共同して左右乳房をバストアップするのである。
【００１３】
更に、本発明に係るブラジャー１は、図２、図３および図５で示すように、前記クロス部分４を構成する左右バンド３Ｌ，３Ｒの長手方向下縁は、それぞれ曲線形態によって上向傾斜とされていて、着用したときみぞ落よりやや上方にクロス部分４が位置するように設定されている。
これにより、みぞ落（谷間）近傍の過度な圧迫感は確実に低減又は解消されて着用感が向上するのである。
また、本発明に係るブラジャー１は、図１〜図４で示すように、左右カップ２Ｌ，２Ｒの少なくとも下方周りにワイヤ７Ｌ，７Ｒを封入した袋テープ８Ｌ，８Ｒが接合されており、左右バンド３Ｌ，３Ｒはその長手方向の一部分が前記袋テープ８Ｌ，８Ｒに縫着等によって接合されているとともに左右バンド３Ｌ，３Ｒの内端部位は左右で対応する（反対側の）袋テープ８Ｌ，８Ｒに縫着によって接合されている。
【００１４】
これによって、図２および図５に示した矢符Ｌ１，Ｌ２，Ｌ３，Ｒ１，Ｒ２，Ｒ３の力による寄せ作用がワイヤ７Ｌ，７Ｒを介して伝播されて乳房の制御支持（バストアップを含む）が確実に保障されている。
左右カップ２Ｌ，２Ｒは表地とポリウレタン、不織布等の弾褥材等からなる肌地（裏貼り生地を含み、着用したとき肌（乳房）に接触（当たる）するソフトな生地）とで構成されており、各パーツは縫製により立体感（膨出）が付与され、又はプレスにより膨出成形されており、左右バンド３Ｌ，３Ｒおよび左右の上バンド９Ｌ，９Ｒがバンド長手方向に伸縮可能な細幅のテープ生地で製作されていても、表地が該テープ生地に縫着されていることによって、左右ヨーク部１０Ｌ，１０Ｒを含めて伸長性は抑制されており、左右ヨーク部１０Ｌ，１０Ｒの外端縁に縦方向の左右ヨークテープ生地１１Ｌ，１１Ｒを介在させ、このヨークテープ生地１１Ｌ，１１Ｒに左右のバックストラップ５Ｌ，５Ｒを接合し、該ストラップ５Ｌ，５Ｒの表地を長手方向に伸縮する生地とすることによって、当該左右バックストラップ５Ｌ，５Ｒの伸縮性は確保されている。
【００１５】
また、肩ひも６Ｌ，６Ｒについても上バンド９Ｌ，９Ｒを縁取りさせることによって伸縮性は確保され、ここに、左右バックストラップ５Ｌ，５Ｒおよび左右肩ひも６Ｌ，６Ｒが伸縮性を有することによってブラジャー１の着脱は容易であるとともに、着用者の挙動（動き）に追従できるのである。
左右ワイヤ７Ｌ，７Ｒ、実質的には該ワイヤ７Ｌ，７Ｒを封入した袋テープ８Ｌ，８Ｒは、左右カップ２Ｌ，２Ｒを構成する表地と肌地との間に介在され、望ましくは、表地に該袋テープ８Ｌ，８Ｒを縫着等によって接合して肌地に対しては分離させておくことが有利である。
【００１６】
すなわち、ワイヤ７Ｌ，７Ｒを封入した袋テープ８Ｌ，８Ｒが表地と肌地との間に介在されていることによって、ワイヤ７Ｌ，７Ｒによる肌当りがソフトになるし、袋テープ８Ｌ，８Ｒが表地に接合され、肌地に対しては分離されていることにより、乳房の挙動が肌地を介して表地に伝播されるのを抑制し、ここに、左右カップ２Ｌ，２Ｒの形態崩れをおさえることになるからである。
なお、図５において、４Ｌ，４Ｒはクロス部分４における左右バンド３Ｌ，３Ｒに縫着してあるマチ布（非伸縮生地で表地の一部である）を示している。
【００１７】
本発明に係るブラジャー１は、次のような設計変更および適用範囲の拡大は自由である。
１．請求項１及び２に係るブラジャー１については、ワイヤレスブラジャーに適用できる。
２．請求項３に係るブラジャー１については、左右ワイヤ７Ｌ，７Ｒはこれを形状記憶合金で製作できるし、左右ワイヤ７Ｌ，７Ｒを一体に形成したもので良く、また、左右カップ２Ｌ，２Ｒの上周りに左右ワイヤを封入することもできる。
３．ブラジャーの形態としては、ストラップレス（肩ひもなし）、デコレート、プッシュアップ等任意であるし、ボディスーツ、コースレット、ゲピエール等のアンダウェアのブラジャー部分に適用することは可能である。
【００１８】
【発明の効果】
以上詳述した本発明によれば、寄せ効果（作用）を確保しながら、谷間の圧迫感を低減又は解消できて着用感覚が向上したブラジャーを提供できた。
【図面の簡単な説明】
【図１】  本発明に係るブラジャーの一例を示す斜視図である。
【図２】  要部の正面図である。
【図３】  要部の背面図である。
【図４】  要部の平（底）面図である。
【図５】  要部の斜視図である。
【符号の説明】
１  ブラジャー
２Ｌ，２Ｒ  左右カップ
３Ｌ，３Ｒ  左右バンド
４  クロス部分
５Ｌ，５Ｒ  バックストラップ
６Ｌ，６Ｒ  肩ひも
７Ｌ，７Ｒ  ワイヤ
８Ｌ，８Ｒ  袋テープ
【図１】
0004326042.tif 000002
【図２】
0004326042.tif 000003
【図３】
0004326042.tif 000004
【図４】
0004326042.tif 000005
【図５】
0004326042.tif 000006